(57)【要約】      （修正有）【課題】ワンタッチ操作で、保護ケース内に房を収容して、房糸同士の絡み、曲り癖、起毛、房からの抜け落ち等を確実に防止して、いつも使用直前まで数珠の房を常に正常な状態に保持する房保護ケース付数珠を提供する。【解決手段】親珠と房との間に「ぼさ」（菩薩）の珠が入った数珠において、前記房の周囲の背面を囲う背面布と、前記背面布の両側の各々に一端を折り畳み可能に接続し他端部同士をオーバーラップ可能に形成し前記房の周囲の前部を囲う一対の開閉布と、前記一対の開閉布の各他端部にその着脱開閉用に設けた磁石板式の着脱具とからなる房保護ケースを付設する。【選択図】図１
0003184877.tif 000002
【実用新案登録請求の範囲】
【請求項１】
親珠（２）と房（４）との間に菩薩（３）の珠が入った数珠（１００）において、前記房の周囲の背面を囲う背面布（２０１）と、前記背面布の両側の各々に一端を折り畳み可能に接続し他端部同士をオーバーラップ可能に形成し前記房の周囲の前部を囲う一対の開閉布（２０２，２０３）と、前記一対の開閉布の各他端部内に収容し開閉布のオーバーラップ部の着脱開閉用に設けた磁石板式の着脱具（２０４，２０５）とからなる房保護ケース（２００）を付設したことを特徴とする房保護ケース付数珠。
【請求項２】
前記房保護ケース（２００）を折り畳み式袱紗（３００）に設けた請求項１の房保護ケース付数珠。
【考案の詳細な説明】
【技術分野】
【０００１】本考案は、一般に仏事・法要の際に、仏・菩薩・物故者の霊位などに礼拝するときに合掌した手にかける数珠に房保護ケースを付設した所謂房保護ケース付数珠に関する。
【背景技術】
【０００２】  数珠は念珠ともいわれ、起源は諸説あるが、古代インドのバラモン教で用いられていた道具を原型とするとされる。それが、釈尊により用いられ、後に中国に伝わる。そして我が国には飛鳥時代に百済からの仏教伝来（５５２年）とほぼ同じ頃に仏僧、仏典とともに伝えられた。
現存する最古のものとしては７５６年（天平勝宝８年）６月に東大寺に献納された純金念珠、白金念珠、瑪瑙念珠、水精念珠、琥珀念珠、真珠念珠、紫瑠璃念珠であるとされている。
その後、数珠は宗派別の専属の珠匠によって製作されて、貴族、僧侶等の一部の階層の人々に使用されてきた。【０００３】数珠は、宗派別の寺院の制約が強いが、その構成、形状等の基本的構造ついては、使用目的例えば儀式用、普段用等によって、多少バリエーションを有するものの、木製や石製の親玉（おやだま）、主玉（おもだま）、四天玉（してんだま）、弟子玉（でしだま）、露玉（つゆだま）、浄妙玉（じょうみょうだま）、中通し紐、房などから構成される。【０００４】本連数珠の場合、一番大きい珠（１珠ないし２珠）の事を「親珠」（おやだま）または「母珠」（もしゅ）と呼び、輪を主に構成する１０８珠ある珠の事を「主珠」（おもだま）と呼ぶ。主珠の間に挟まれ主球より小さい四つの珠の事を「四天珠」（してんだま）と呼ぶ。その他に、房の部分に「弟子球」（でしだま、「記子」〈きこ〉）とも、「浄名」（じょうみょう）、「つゆ」、「副珠」と呼ばれる珠がある。（宗旨により用いられる珠に違いがある。）
また略式の片手数珠の場合は、輪を主に構成する多数の珠は、「主珠」と呼び、親珠が一珠のみで、親珠と房の間に「ぼさ」（菩薩）と呼ばれる管状の珠が入る。
主珠より小さい二つの珠の事を「二天珠」（にてんだま）と呼ぶ。名称には、「珠」の字以外にも「玉」の字も用いられる。【０００５】そして数珠は、修行をする時や、経を読む時などに必要な道具であり、ご先祖をまつり、感謝を込めて数珠とともに手を合わせる時に使ったり、現代においては、ほとんどが仏式であるということが主であるが、葬儀の際に数珠を用いるイメージが一番強く、一般に仏事・法要の際に、仏・菩薩・物故者の霊位などに礼拝するときは、必ず数珠を合掌した手にかける事になっており、数珠を持つことはマナーの一つとなっている。【０００６】このような傾向により、本来なら数珠は、上記のように、主玉が百八玉の数珠が正式であるが、現在はこれを半分の五十四ヶや四半分の二十七ヶ或いは十八ヶ玉・二十二玉・三十二玉にして持ちやすい様に略式化され広く一般に使われている。
数珠の使用に際しては、法具なので大切に取扱い、携帯時には、鞄などに直に入れず、数珠袋（念珠袋）など専用の袋に入れるのが通例である。
又、一時的に置く際は、袱紗などの上に置き、畳の上や机の上などに直に置いてはならない。【０００７】数珠の房は多数本の房糸から構成され、各房糸の一端部が結束されて数珠本体に取り付けられているので、数珠を数珠袋などに数珠を入れて保管或いは携帯する場合、又は一時的に袱紗の上に置くなどの取扱いの際は、房が外側にバラバラに拡がったり、各房糸が折れ曲がったり変形して乱れ絡んでしまうことが多く、これらが原因で房に拡がりぐせ、曲がりぐせ、絡み合い、などが付いてしまい早期に損傷したり汚れてしまう。【０００８】このため使用時に、房を下に垂らして合掌した両手に掛けても房が変形や絡んだまま或いは汚れたり損傷したまま垂れてしまうと数珠の外観を著しく損なう。
この問題を軽減しようとして、実用新案登録第３１１２７８７号公報により「ファスナー面同士を両端に設けた円筒状の房カバー内に房を収容する考案」が紹介されているが、円筒状の房カバーによる巻込収容には手間がかかりまたファスナー面に房糸が付着したて絡んだり起毛してボサボサになることが多く、更には円筒状の房カバーが房から抜け落ちることが頻発し、実用的ではない。
【考案の概要】
【考案が解決しようとする課題】
【０００９】本考案は、開いた房保護ケースに房を整えて載せて閉じるだけの簡単なワンタッチ操作で、保護ケース内に房を収容して、房糸同士の絡み、曲り癖、起毛したり、房からの抜け落ち等を確実に防止して、いつも使用直前まで数珠の房を常に正常な状態に保持する房保護ケース付数珠を提供する。
【課題を解決するための手段】
【００１０】本考案は、前記課題を全うするものであり、その特徴とする構成は次の（１）の通りである。【００１１】（１）、親珠と房との間に「ぼさ」（菩薩）の珠が入った数珠において、前記房の周囲の背面を囲う背面布と、前記背面布の両側の各々に一端を折り畳み可能に接続し他端部同士をオーバーラップ可能に形成し前記房の周囲の前部を囲う一対の開閉布と、前記一対の開閉布の各他端部内に収容して開閉布の着脱開閉用に設けた磁石板式の着脱具とからなる房保護ケースを付設したことを特徴とする房保護ケース付数珠。
（２）、前記房保護ケース（２００）を折り畳み式袱紗（３００）に設けた前記（１）に記載の房保護ケース付数珠。
【考案の効果】
【００１２】本考案の保護ケース付数珠は、開いた保護ケースに房を整えて載せて閉じるだけの簡単なワンタッチ操作で、保護ケース内に房を収容して、房糸同士の絡み、曲り癖、起毛の発生、房からの抜け落ち等を確実に防止して、いつも使用直前まで数珠の房を常に正常な状態に保持する優れた作用効果を呈するものである。【００１３】即ち、本考案の房保護ケース付数珠は、房保護ケースの背面布に、揃えた状態の房を置き次いで開閉布（合わせ布）を閉じて磁石式の着脱具でこの閉じた状態を保持して房保護ケース内に房を収容しておくことにより、携帯時に、数珠袋（念珠袋）など専用の袋に入れても、或いは、一時的に袱紗などの上に置いても、房の変形や絡み、損傷と汚れを防止して、使用の際には、房保護ケースの開閉布を着脱具に抗して指先で開くのみで房を動かすことなく痛めることなく汚すことなく、正常状態の房を下に垂らして合掌した両手に掛けることが出来る。
本考案の保護ケースの材質は、房に優しい、天然繊維又は化学繊維などの不繊布、繊布が好ましく、背面布、開閉布を一体的に形成した二重縫製布に背面布、開閉布の区分ずけ縫いをしたものがより好ましい。
二重縫製布にすると着脱具の磁石板の内装が容易である。
磁石板は金属製の他に可撓性のある樹脂に磁分を整列混入したものが好ましい。【００１４】  このため数珠を扱う販売店や直接使用する多く人々に房の変形や損傷を防止して数珠の品質を良好に保持すると共に、長寿命化を促し、さらに仏具製造業界などに貢献すること多大なものがある。
【図面の簡単な説明】
【００１５】
【図１】数珠の房に房保護ケースを装着した正面説明図である。（１）は装着順位第一状態を示し、（２）は装着順位第二状態を示し、（３）は装着順位第三状態を示し、夫々矢視Ａ−Ａ、Ｂ−Ｂ、Ｃ−Ｃからの断面説明図を併記してある。
【図２】前記房保護ケース２００を備え、数珠を収容する袱紗３００の例の装着順位第一状態を示す。
【図３】図２に示す例に次ぐ装着順位第二状態を示す正面説明図である。
【図４】図３に示す例に次ぐ装着順位第三状態を示す正面説明図である。
【図５】図４に示す例に次ぐ装着順位第四状態を示す正面説明図である。
【考案を実施するための形態】
【００１６】考案を実施するための形態を次の実施例により詳細に説明する。
【実施例１】
【００１７】図１において、本例の房保護ケース付数珠において、数珠本体は「二天珠」（にてんだま）を省略した略式の数珠１００で、主に多数の主珠１で輪を構成し、下部中央に親珠２を連結し、親珠２の下に管状の珠「菩薩」３を連結し、菩薩３の下に房４を設けたものである。
この数珠には、次の房保護ケース２００を備えてある。【００１８】  房保護ケース２００は、房４に優しい、天然繊維の繊布で、背面布２０１、開閉布２０２、２０３を一体的に形成した二重縫製布に背面布、開閉布の区分ずけ縫いをしたものである。
背面布２０１は前記房４の周囲の背面を囲い、前記背面布２０１の両側の各々に一端を折り畳み可能に接続し他端部同士をオーバーラップ可能に形成した一対の開閉布２０２、２０３は前記房の周囲の前部を囲い、前記一対の開閉布２０２、２０３の各他端部内にはその着脱開閉用に設けた磁石式の着脱具２０４、２０５を収容してある。
磁石式の着脱具２０４、２０５は、その何れか一方が磁石板で他方が磁性板であればよい。両方を磁石板にしてもよい。磁石板は金属製又は可撓性の樹脂に磁分を整列混入した可撓性の磁石板でも良い。
この磁石式の着脱具２０４、２０５の内装した一対の開閉布２０２、２０３により房に傷を付けることなく抜けることなく適度に押さえてケース内に収容することができる。【００１９】図１には、数珠１００の房４に房保護ケース２００を装着する順を示してある。
図１において、（１）は装着順位第一状態であり全開状態の房保護ケース２００に房４を載置して示し、（２）は装着順位第二状態であり房保護ケース２００の開閉布２０２を閉じて房４の半分を押さえた状態を示し、（３）は装着順位第三状態であり房保護ケース２００の開閉布２０３を閉じて房４の全部を押さえた状態を示す。
各（１）〜（３）の夫々には矢視Ａ−Ａ、Ｂ−Ｂ、Ｃ−Ｃからの断面説明図を併記してある。【００２０】図２〜図５には、前記房保護ケース２００を備え数珠を収容する袱紗３００の例を紹介する。
袱紗３００は、図２に全展開して示すように左方半分の上下部に綴じ紐３０４、３０５を有し、仮想の折り畳み線３０１〜３０３にした三り折りタイプで房保護ケース２００を最初の二つ折り前の左方半分の中央部に装着してある。【００２１】房保護ケース２００を備えた袱紗３００への数珠１００の収容方法例を図２〜図５と共に紹介する。
図２において、袱紗３００を全部開き房保護ケース２００の開閉布２０２を開いた状態にして、数珠１００を袱紗３００の左方半分の房保護ケース２００の周囲に図示のように置くと共に房４を揃えて房保護ケース２００の背面布２０１上に載せる。
次いで図３において、房保護ケース２００の開閉布２０２を閉じる。すると開閉布２０２の磁石式の着脱具２０３、２０４が磁着して房４を軽く押さえて閉止状態を維持する。
この後、袱紗３００を仮想の折り畳み線３０１〜３０３の順に折り畳むが、最初の折り畳みは、図４において、折り畳み線１にしたがって折り袱紗３００の右方半分を左方半分に重ねる。
次に図５において、折り畳み線３０２と３０３にしたがって上側と下側を折り、最後に綴じ紐３０４、３０５を渡して付設したマジックテープの微細フック付布３０４ｍ、微細リング付布３０５ｍを接合させて数珠の袱紗収容を完了する。【００２２】当然ながら袱紗３００の他に通常の数珠袋にも適用することができることは勿論であり、汎用性が広い。
【産業上の利用可能性】
【００２３】  本考案の房保護ケース付数珠は、前記した優れた作用効果を呈するものである。このため数珠を使用する多く人々に房の変形や損傷を防止して長寿命化を促し、さらに仏具製造業界などの貢献すること多大なものがある。
【符号の説明】
【００２４】１００：数珠                          ２０２、２０３：開閉布
１：主珠                              ２０４、２０５：磁石式の着脱具
２：親珠                              ３００：袱紗
３：菩薩                              ３０１〜３０３：仮想の折り畳み線
４：房                                ３０４、３０５：綴じ紐
２００：房保護ケース                  ３０４ｍ：微細フック付布
２０１：背面布                        ３０５ｍ：微細リング付布
【図１】
0003184877.tif 000003
【図２】
0003184877.tif 000004
【図３】
0003184877.tif 000005
【図４】
0003184877.tif 000006
【図５】
0003184877.tif 000007